(57)【要約】【課題】通常時には、当該患者を受け持つ１乃至２名の看護師のみを呼び出し、緊急時には、当該患者の病状を把握する全ての看護師を同時に呼び出すことができるようにする。【解決手段】本発明のナースコールシステムは、看護師によって携帯され、患者または他の看護師からの呼び出しを報知するとともに通話を行なう複数のハンディナース端末４ａ、４ｂ、４ｃ、４ｄ、・・・を備え、各ハンディナース端末はそれぞれ他のハンディナース端末と重複しない個別の端末番号を有し、制御機は、患者からの通常呼出の際に予め定められた端末番号を指定して予め定められた時間ごとに１乃至２台のハンディナース端末を順次呼び出す端末別呼出を行ない、患者または看護師からの緊急呼出の際に通常呼出の際の端末別呼出台数よりも多い予め定められた複数の端末番号を指定して複数のハンディナース端末を同時に呼び出す同時端末呼出を行なう制御機ＣＰＵ５０を備える。【選択図】図２
2005244496.tif 000002
【特許請求の範囲】
【請求項１】
病室に設置され、患者または看護師から通常呼出、緊急呼出等の複数の呼出種別の１つで他の看護師を呼出すためのナースコール子機（１ａ、１ｂ、・・・）と、廊下に設置され、前記ナースコール子機から呼び出しがあったとき呼出表示灯（２６）が点滅する廊下灯（２ａ、２ｂ、・・・）と、ナースステーションに設置され、前記患者または前記看護師からの呼び出しを報知するとともに通話を行なうナースコール親機（３）と、看護師によって携帯され、前記患者または他の看護師からの呼び出しを報知するとともに通話を行なう複数のハンディナース端末（４ａ、４ｂ、４ｃ、４ｄ、・・・）と、前記廊下灯および前記ナースコール親機を制御する制御機（５）とを設け、
各ハンディナース端末はそれぞれ他のハンディナース端末と重複しない個別の端末番号を有し、
前記制御機は、前記患者からの前記通常呼出の際に予め定められた端末番号を指定して予め定められた時間ごとに１乃至２台のハンディナース端末を順次呼び出す端末別呼出を行ない、前記患者または看護師からの緊急呼出の際に前記通常呼出の際の端末別呼出台数よりも多い予め定められた複数の端末番号を指定して複数のハンディナース端末を同時に呼び出す同時端末呼出を行なう制御機ＣＰＵ（５０）を備えたことを特徴とするナースコールシステム。
【請求項２】
前記複数のハンディナース端末を同時に呼び出す同時端末呼出台数は、前記制御機ＣＰＵが同時に呼出可能である最大台数であることを特徴とする請求項１記載のナースコールシステム。
【発明の詳細な説明】
【技術分野】
【０００１】
本発明は、ナースコールシステムに係わり、特に、患者等からの緊急呼出の際に予め定められた複数のハンディナース端末を同時に呼び出すことができるナースコールシステムに関する。
【背景技術】
【０００２】
従来から、この種のナースコールシステムとして、病室内の各病床に設けられ患者によって操作される呼出ボタンおよび緊急呼出ボタンと、呼出ボタン、緊急呼出ボタンの呼び出しを検出し、制御機を介してナースコール親機に呼び出しを通報するアダプタ（廊下灯）と、看護師が携帯し呼び出しを受信できるハンディナース端末とを備えたものが知られている（例えば、特許文献１参照）。
【０００３】
ここで、当該制御機は、呼出ボタンからの呼出時には患者を受け持つハンディナース端末に呼び出しをかける設定情報を有し、緊急呼出ボタンからの緊急呼出時にはすべてのハンディナース端末に呼び出しをかけるための記憶装置を備えている。
【０００４】
このように構成されたナースコールシステムによれば、病室内の患者から緊急呼出ボタンが押下されると、自分の受け持ちか否かに拘わらず全てのハンディナース端末が呼び出され、呼び出された看護師が当該患者に対して即時に対応することができ、迅速な看護業務の遂行を図ることができる。
【０００５】
しかしながら、このような構成のナースコールシステムにおいては、例えば、総合病院等において、内科の患者が緊急呼出ボタンを押下すると、自分の受け持ちか否かに拘わらず、全てのハンディナース端末が呼び出されることから、当該患者とは関係のない外科や産婦人科等の看護師まで呼び出されるという難点があった。また、同じ内科であっても、当該患者の病状を把握していない看護師も呼び出されるという難点がある。
【０００６】
【特許文献１】特開２０００−２２４３２１号公報  （段落番号「００１２」、「００３０」、図１）
【発明の開示】
【発明が解決しようとする課題】
【０００７】
本発明は、このような難点を解決するためになされたもので、ハンディナース端末の呼出時において、通常時には、当該患者を受け持つ１乃至２名の看護師のみを呼び出し、緊急時には、当該患者の病状を把握する全ての看護師を同時に呼び出すことで、当該患者に対して即時に対応することができ、迅速な看護業務の遂行を図ることができるナースコールシステムを提供することを目的としている。
【課題を解決するための手段】
【０００８】
本発明の第１の態様であるナースコールシステムは、病室に設置され、患者または看護師から通常呼出、緊急呼出等の複数の呼出種別の１つで他の看護師を呼出すためのナースコール子機と、廊下に設置され、ナースコール子機から呼び出しがあったとき呼出表示灯が点滅する廊下灯と、ナースステーションに設置され、患者または看護師からの呼び出しを報知するとともに通話を行なうナースコール親機と、看護師によって携帯され、患者または他の看護師からの呼び出しを報知するとともに通話を行なう複数のハンディナース端末と、廊下灯およびナースコール親機を制御する制御機とを設け、各ハンディナース端末はそれぞれ他のハンディナース端末と重複しない個別の端末番号を有し、制御機は、患者からの通常呼出の際に予め定められた端末番号を指定して予め定められた時間ごとに１乃至２台のハンディナース端末を順次呼び出す端末別呼出を行ない、患者または看護師からの緊急呼出の際に通常呼出の際の端末別呼出台数よりも多い予め定められた複数の端末番号を指定して複数のハンディナース端末を同時に呼び出す同時端末呼出を行なう制御機ＣＰＵを備えたものである。
【０００９】
本発明の第２の態様は、本発明の第１の態様であるナースコールシステムにおいて、複数のハンディナース端末を同時に呼び出す同時端末呼出台数は、制御機ＣＰＵが同時に呼出可能である最大台数とされている。
【発明の効果】
【００１０】
本発明の第１の態様または第２の態様のナースコールシステムによれば、患者からの通常呼出の際に１乃至２台のハンディナース端末を順次呼び出し、患者または看護師からの緊急呼出の際に通常呼出の際の端末別呼出台数よりも多い複数のハンディナース端末を同時に呼び出すことができることから、ハンディナース端末の呼出時において、通常時には、当該患者を受け持つ１乃至２名の看護師のみを呼び出し、緊急時には、当該患者の病状を把握する全ての看護師を同時に呼び出すことができ、ひいては当該患者に対して即時に対応することができ、迅速な看護業務の遂行を図ることができる。
【発明を実施するための最良の形態】
【００１１】
以下、本発明のナースコールシステムを適用した好ましい実施の形態例について、図面を参照して詳述する。ここで、図１は、本発明の一実施例におけるナースコールシステムの構成図、図２は、同実施例におけるナースコールシステムのブロック図を示している。
【００１２】
図１において、本発明のナースコールシステムは、各病室Ａ、Ｂ、・・・内にそれぞれ設置される複数のナースコール子機１ａ、１ｂ、・・・と、廊下に設置される複数の廊下灯２ａ、２ｂ、・・・と、ナースステーション内に設置されるナースコール親機３と、看護師が携帯する複数のハンディナース端末４ａ、４ｂ、４ｃ、４ｄ、・・・と、各廊下灯２ａ、２ｂ、・・・およびナースコール親機３を制御する制御機５とを備えている。ここで、各廊下灯２ａ、２ｂ、・・・は、第１の伝送路Ｌ１を介して対応するナースコール子機１ａ、１ｂ、・・に、第２の伝送路Ｌ２を介して制御機５にそれぞれ接続され、制御機５には第３の伝送路Ｌ３を介してナースコール親機３が接続されている。なお、第１の伝送路Ｌ１は、図２に示すように、第１〜第４の子機伝送路Ｌ１ａ、Ｌ１ｂ、Ｌ１ｃ、Ｌ１ｄで、第２の伝送路Ｌ２は第１、第２の廊下灯伝送路Ｌ２ａ、Ｌ２ｂで、第３の伝送路Ｌ３は第１、第２の親機伝送路Ｌ３ａ、Ｌ３ｂでそれぞれ構成されている。
【００１３】
次に、複数のナースコール子機１ａ、１ｂ、・・・は、図２に示すように、それぞれ同様の構成とされ、患者がナースセンター内に在室中の看護師、またはハンディナース端末４ａ、４ｂ、４ｃ、４ｄ、・・・を携帯し病院内を巡回する看護師に対して通常の呼び出しを行なう場合に操作する呼出ボタン１０と、患者等が看護師に対して緊急の呼び出しを行なう場合に操作するスタッフコールボタン１１と、呼出元（通常呼出元や緊急呼出元）の患者が呼出先（通常呼出先や緊急呼出先）の看護師との間で通話を行うために使用する子機マイク１２および子機スピーカ１３とを備えている。
【００１４】
複数の廊下灯２ａ、２ｂ、・・・は、それぞれ同様の構成とされ、当該廊下灯の構成各部をそれぞれ制御するためのＣＰＵ（以下「廊下灯ＣＰＵ」という。）２０と、ナースコール子機１ａ、１ｂ、・・・の呼出ボタン１０が操作されたことを検出するための通常呼出検出回路２１と、ナースコール子機１ａ、１ｂ、・・・のスタッフコールボタン１１が操作されたことを検出するための緊急呼出検出回路２２と、廊下灯ＣＰＵ２０および第１の廊下灯伝送路Ｌ２ａの間の信号伝送路を形成するためのデータ送受信回路（以下「廊下灯データ送受信回路」という。）２３と、ナースコール子機１ａ、１ｂ、・・・から伝送される音声信号を４線／２線変換するとともに、ナースコール子機１ａ、１ｂ、・・・へ伝送する音声信号を２線／４線変換するための通話回路（以下「廊下灯通話回路」という。）２４と、廊下灯通話回路２４および第２の廊下灯伝送路Ｌ２ｂの間の信号伝送路を形成するための通話制御回路（以下「廊下灯通話制御回路」という。）２５と、ナースコール子機１ａ、１ｂ、・・・から呼び出しがあったときに点滅する呼出表示灯２６とを備えている。ここで、廊下灯ＣＰＵ２０は、通常呼出検出回路２１、緊急呼出検出回路２２、廊下灯データ送受信回路２３、廊下灯通話回路２４、廊下灯通話制御回路２５および呼出表示灯２６に接続され、通常呼出検出回路２１には第１の子機伝送路Ｌ１ａを介して呼出ボタン１０が、緊急呼出検出回路２２には第２の子機伝送路Ｌ１ｂを介してスタッフコールボタン１１がそれぞれ接続されている。また、廊下灯通話制御回路２５は廊下灯通話回路２４に接続され、廊下灯通話回路２４には第３の子機伝送路Ｌ１ｃを介して子機スピーカ１２が、第４の子機伝送路Ｌ１ｄを介して子機マイク１３がそれぞれ接続されている。
【００１５】
ナースコール親機３は、当該ナースコール親機の構成各部をそれぞれ制御するためのＣＰＵ（以下「親機ＣＰＵ」という。）３０と、親機ＣＰＵ３０および第１の親機伝送路Ｌ３ａの間の信号伝送路を形成するためのデータ送受信回路（以下「親機データ送受信回路」という。）３１と、患者からの通常の呼び出し、または緊急の呼び出しを報知するための呼出音信号を生成する呼出音発生回路（以下「親機呼出音発生回路」という。）３２と、患者からの通常の呼び出し、または緊急の呼び出しを報知するために異なるパターンで呼出表示するとともに、呼出元（通常呼出元、緊急呼出元）の患者と呼出先（通常呼出先、緊急呼出先）であるナースセンター内の看護師との間で通話が行われている旨を通話表示する表示灯３３ａ、３３ｂ、・・・を駆動する表示回路３３と、親機呼出音発生回路３２において生成された呼出音信号を信号処理して呼出音を出力し、また、緊急呼出元の患者からの音声を出力するための親機スピーカ３４と、親機スピーカ３４からの呼出音または音声の出力、および呼出表示が行われた表示灯３３ａ、３３ｂ、・・・をもとに呼出元（通常呼出元、緊急呼出元）の患者を確認したナースセンター内の看護師が応答して通話を行うための通話部を構成するハンドセット３５と、ハンドセット３５の取り上げの有無によりフックオフ／オンされるフックスイッチ３６と、緊急呼出元の患者からの音声を親機スピーカ３４から出力させ、または呼出元（通常呼出元、緊急呼出元）の患者からの音声をハンドセット３５のレシーバから出力させるために音声信号の信号伝送路を切り換えるための通話切換回路３７と、通話切換回路３７および第２の親機伝送路Ｌ３ｂの間の信号伝送路を形成するための通話制御回路（以下「親機通話制御回路」という。）３８とを備えている。ここで、親機ＣＰＵ３０は、親機データ送受信回路３１、親機呼出音発生回路３２、表示回路３３、フックスイッチ３６、通話切換回路３７および親機通話制御回路３８に接続され、親機呼出音発生回路３２には親機スピーカ３４が、表示回路３３には表示灯３３ａ、３３ｂ、・・・が、通話切換回路３７には親機スピーカ３４、ハンドセット３５および親機通話制御回路３８がそれぞれ接続されている。
【００１６】
複数のハンディナース端末４ａ、４ｂ、４ｃ、４ｄ、・・・は、それぞれ同様の構成とされ、患者からの通常の呼び出し、または緊急の呼び出しを報知するために異なるパターンの呼出音信号を生成するための呼出音発生回路（以下「端末呼出音発生回路」という。）４０と、端末呼出音発生回路４０において生成された呼出音信号を信号処理して呼出種別毎で異なるパターンの呼出音を出力するとともに、呼出先（通常呼出先、緊急呼出先）である当該ハンディナース端末を携帯し、病院内を巡回中の看護師が応答して通話を行うための通話部を構成する端末マイク４１および端末スピーカ４２と、端末マイク４１から後述するデータ送受信回路４４への間の信号伝送路およびデータ送受信回路４４から端末スピーカ４２への信号伝送路をそれぞれ形成し、送受信される音声信号を４線／２線変換、または２線／４線変換するための通話回路（以下「端末通話回路」という。）４３と、端末呼出音発生回路４０および制御機５の後述するデータ送受信回路５１の間の無線による信号伝送路、端末通話回路４３および制御機５の後述するデータ送受信回路５１の間の無線による信号伝送路をそれぞれ形成するためのデータ送受信回路（以下「端末データ送受信回路」という。）４４とを備えている。ここで、端末通話回路４３は、端末マイク４１、端末スピーカ４２およびデータ送受信回路４４に接続され、データ送受信回路４４には端末呼出音発生回路４０を介して端末スピーカ４２が接続されている。
【００１７】
制御機５は、当該制御機の構成各部をそれぞれ制御するためのＣＰＵ（以下「制御機ＣＰＵ」という。）５０と、制御機ＣＰＵ５０、第１の廊下灯伝送路Ｌ２ａ、第１の親機伝送路Ｌ３ａおよびハンディナース端末４ａ、４ｂ、４ｃ、４ｄ、・・・の端末データ送受信回路４４の各部間の信号伝送路をそれぞれ形成するためのデータ送受信回路（以下「制御機データ送受信回路」という。）５１と、制御機ＣＰＵ５０、第２の廊下灯伝送路Ｌ２ｂ、第２の親機伝送路Ｌ３ｂの各部間の信号伝送路をそれぞれ形成するための通話制御回路（以下「制御機通話制御回路」という。）５２とを備えている。ここで、制御機ＣＰＵ５０は、制御機データ送受信回路５１および制御機通話制御回路５２に接続され、制御機データ送受信回路５１には第１の廊下灯伝送路Ｌ２ａを介して廊下灯データ送受信回路２３が、第１の親機伝送路Ｌ３ａを介して親機データ送受信回路３１がそれぞれ接続され、制御機通話制御回路５２には第２の廊下灯伝送路Ｌ２ｂを介して廊下灯通話制御回路２５が、第２の親機伝送路Ｌ３ｂを介して親機通話制御回路３８がそれぞれ接続されている。
【００１８】
次に、このように構成された本発明のナースコールシステムの動作について説明する。
【００１９】
先ず、ナースコール子機１ａ、１ｂ、・・・が設置された病室Ａ、Ｂ、・・・の部屋番号は、各廊下灯２ａ、２ｂ、・・・の部屋番号設定回路（不図示）の操作により、例えば「１０１」号室、「１０２」号室、・・・に予め設定され、また、各病室「１０１」号室、「１０２」号室、・・・の患者を受け持つ看護師毎の看護チーム番号として、「１」、「２」、・・・が割り当てられ、さらに、看護チーム番号に対応する看護師の携帯に係るハンディナース端末４ａ、４ｂ、４ｃ、４ｄ、・・・の端末番号として、「１１」、「１２」、…等の２乃至４桁の番号が割り当てられている。
【００２０】
このように構成されたナースコールシステムにおいて、例えば１０１号室内の患者（以下「第１の患者」という。）が第１の患者の病床に設置されたナースコール子機（以下「第１のナースコール子機」という。）１ａの呼出ボタン（以下「第１の呼出ボタン」という。）１０を操作すると、第１の子機伝送路Ｌ１ａを介して送出される呼出起動信号が１０１号室の出入口近傍に設置された廊下灯（以下「第１の廊下灯」という。）２ａの通常呼出検出回路（以下「第１の通常呼出検出回路」という。）２１で検出され、かかる呼出起動信号が第１の廊下灯２ａの廊下灯ＣＰＵ（以下「第１の廊下灯ＣＰＵ」という。）２０で検出されると、第１の廊下灯２ａの呼出表示灯（以下「第１の呼出表示灯」という。）２６が制御され、これにより、第１の呼出表示灯２６が所定のパターンで点滅する。
【００２１】
また、これとともに、第１の廊下灯ＣＰＵ２０から、第１の廊下灯２ａに予め割り当てられている病室番号「１０１」および通常の呼び出しがかけられている旨の呼出種別情報を含有する通常呼出信号が出力され、この通常呼出信号が第１の廊下灯２ａの廊下灯データ送受信回路２３（以下「第１の廊下灯データ送受信回路２３」という。）から第１の廊下灯伝送路Ｌ２ａおよび制御機データ送受信回路５１を介して制御機ＣＰＵ５０へ伝送される。
【００２２】
かかる通常呼出信号が制御機ＣＰＵ５０で検出されると、通常呼出信号を構成する部屋番号情報と制御機５に格納された呼出テーブル（不図示）とが照合され、呼出元である第１の患者を看護する看護師に予め割り当てられた看護チーム番号（例えば「１」）および当該看護チーム番号に対応する看護師の携帯に係るハンディナース端末４ａ、４ｂ、４ｃ、４ｄ、・・・の端末番号（たとえば「１１」、「１２」）が読み出され、制御機ＣＰＵ５０から部屋番号情報および通常呼出種別情報を含有する呼出制御信号と、部屋番号情報、通常呼出種別情報、看護チーム番号および端末番号を含有する端末呼出制御信号が出力され、前者の呼出制御信号が第１の親機伝送路Ｌ３ａおよび親機データ送受信回路３１を介して親機ＣＰＵ３０へ伝送され、また、後者の端末呼出制御信号が制御機データ送受信回路５１へ伝送される。
【００２３】
そして、かかる呼出制御信号が親機ＣＰＵ３０で検出されると、親機呼出音発生回路３２および表示回路３３が制御され、これにより、親機スピーカ３４から呼出音が放音されるとともに、第１のナースコール子機１ａに予め割り当てられている表示灯（以下「第１の表示灯」という。）３３ａが所定のパターンで点滅する。
【００２４】
ここで、第１の患者からの呼び出しを確認したナースステーション内の看護師が、ハンドセット３５を取り上げて呼出応答すると、フックスイッチ３６がハンドセット３５を取り上げたことを検出して親機ＣＰＵ３０に伝え、通話切換回路３７、親機通話回路３８、第２の親機伝送路Ｌ３ｂ、制御機通話制御回路５２、第２の廊下灯伝送路Ｌ２ｂ、第１の廊下灯通話制御回路２５、第１の廊下灯通話回路２４および第３、第４の子機伝送路Ｌ１ｃ、Ｌ１ｄの経路（以下「通話経路」という。）を介して第１の子機マイク１２および第１の子機スピーカ１３間に通話路が形成される。
【００２５】
一方、制御機データ送受信回路５１へ伝送された端末呼出制御信号は、制御機データ送受信回路５１において信号変換された無線信号として複数のハンディナース端末４ａ、４ｂ、４ｃ、４ｄ、・・・へそれぞれ無線伝送され、端末データ送受信回路４４において電気信号に信号変換された端末呼出制御信号として呼出識別回路（不図示）へ入力される。ここで、端末呼出制御信号を構成する端末番号「１１」、「１２」と、ハンディナース端末４ａ、４ｂ、４ｃ、４ｄ、・・・に予め割り当てられた端末番号とが照合され、両者の端末番号が一致すると、端末呼出音発生回路４０が能動とされる。この実施例においては、ハンディナース端末４ａ（以下「第１のハンディナース端末４ａ」という。）およびハンディナース端末４ｂ（以下「第２のハンディナース端末４ｂ」という。）の端末番号が一致することで、第１、第２のハンディナース端末４ａの端末スピーカ４２からそれぞれ呼出音が放音される。
【００２６】
これにより、第１、第２のハンディナース端末４ａ、４ｂを携帯する看護師（以下「第１、第２の看護師」という。）に対して、受け持ちの患者である第１の患者からの呼び出しが報知される。
【００２７】
ここで、第１、第２の看護師が例えば持ち場を離れていて、予め定められた時間（例えば３０秒）内に第１、第２のハンディナース端末４ａ、４ｂから応答がない場合は、制御機ＣＰＵ５０から部屋番号情報、通常呼出種別情報、他の看護チーム番号（例えば「２」）および他の端末番号（例えば「１３」、「１４」）を含有する他の端末呼出制御信号（以下「第２の端末呼出制御信号」という。）が出力され、この第２の端末呼出制御信号が前述の端末呼出制御信号と同様にして複数のハンディナース端末ハンディナース端末４ａ、４ｂ、４ｃ、４ｄ、・・・へそれぞれ無線伝送され、端末データ送受信回路４４において電気信号に信号変換された端末呼出制御信号として呼出識別回路（不図示）へ入力される。そして、前述と同様に、第２の端末呼出制御信号を構成する端末番号「１３」、「１４」と、ハンディナース端末４ａ、４ｂ、４ｃ、４ｄ、・・・に予め割り当てられた端末番号とが照合され、両者の端末番号が一致すると、端末呼出音発生回路４０が能動とされる。この実施例においては、ハンディナース端末４ｃ（以下「第３のハンディナース端末４ｃ」という。）およびハンディナース端末４ｄ（以下「第４のハンディナース端末４ｄ」という。）の端末番号が一致することで、第３、第４のハンディナース端末４ｃ、４ｄの端末スピーカ（不図示）からそれぞれ呼出音が放音される。
【００２８】
これにより、第３、第４のハンディナース端末を携帯する看護師（以下「第３、第４の看護師」という。）に対して、受け持ちの患者である第１の患者からの呼び出しが報知される。
【００２９】
このように構成されたナースコールシステムによれば、制御機５において、例えば第１の患者からの通常呼出の際に、予め定められた端末番号（例えば「１１」や「１２」）を指定して予め定められた時間（例えば３０秒）ごとに１乃至２台のハンディナース端末を順次呼び出すことができる。
【００３０】
次に、第１の患者が第１のナースコール子機１ａのスタッフコールボタン（以下「第１のスタッフコールボタン」という。）１１を操作すると、第２の子機伝送路Ｌ１ｂを介して送出される緊急呼出起動信号が第１の廊下灯２ａの緊急呼出検出回路２２で検出され、かかる緊急呼出起動信号が第１の廊下灯ＣＰＵ２０で検出されると、第１の廊下灯２ａの廊下灯通話回路（以下「第１の廊下灯通話回路」という。）２４、廊下灯通話制御回路（以下「第１の廊下灯通話制御回路」という。）２５および第１の呼出表示灯２６が制御される。
【００３１】
これにより、第１の呼出表示灯２６が通常呼出時とは異なるパターンで点滅するとともに、第１の子機マイク１２および第１の子機スピーカ１３と、第３、第４の子機伝送路Ｌ１ｃ、Ｌ１ｄ、第１の廊下灯通話回路２４および第１の廊下灯通話制御回路２５を介して第２の廊下灯伝送路Ｌ２ｂ間に信号伝送路が形成される。また、これとともに、第１の廊下灯ＣＰＵ２０から、第１の廊下灯２ａに予め割り当てられている病室番号「１０１」および緊急の呼び出しがかけられている旨の呼出種別情報を含有する緊急呼出信号が出力され、この緊急呼出信号が前述の通常呼出信号と同様の経路を経由して制御機ＣＰＵ５０へ伝送される。
【００３２】
かかる緊急呼出信号が制御機ＣＰＵ５０で検出されると、制御機通話制御回路５２が制御され、第２の廊下灯伝送路Ｌ２ｂおよび第２の親機伝送路Ｌ３ｂ間に信号伝送路が形成される。また、これとともに、制御機ＣＰＵ５０から、第１の患者の情報を取得するコマンド（以下「第１の患者情報取得コマンド」という。）並びに部屋番号情報および緊急呼出種別情報を含有する緊急呼出制御信号が出力され、これらの第１の患者情報取得コマンドおよび緊急呼出信号が前述の通常呼出制御信号と同様の経路を経由して親機ＣＰＵ３０へ伝送される。
【００３３】
かかる緊急呼出制御信号が親機ＣＰＵ３０で検出されると、親機呼出音発生回路３２および表示回路３３が制御され、これにより、親機スピーカ３４から呼出音が放音されるとともに、第１の患者に対応する第１の表示灯３３ａが通常と異なるパターンで点滅する。また、これとともに、通話切換回路３７および親機通話回路３８が制御され、第２の親機伝送路Ｌ３ｂから親機通話回路３８および通話切換回路３７を介して親機スピーカ３４への信号伝送路が形成される。これにより、第１の子機マイク１２を介して入力された第１の患者の音声信号が前述の通話経路を介して親機スピーカ３４へ伝送され、第１の患者からの音声が親機スピーカ３４を介して出力される。
【００３４】
次に、第１の患者情報取得コマンドが親機ＣＰＵ３０で検出されると、ナースコール親機３の記憶装置（不図示）から、第１の患者の氏名、受診科、処置等の患者情報（以下「第１の患者情報」という。）が読み出され、当該第１の患者情報が前述の第１の患者情報取得コマンドと逆の経路を経由して制御機ＣＰＵ５０へ伝送される。
【００３５】
かかる第１の患者情報が制御機ＣＰＵ５０で検出されると、緊急呼出信号を構成する部屋番号情報と制御機５に格納された呼出テーブル（不図示）とが照合され、第１の患者の病状を把握している全ての看護師（例えば第１〜第４の看護師）に予め割り当てられた看護チーム番号（例えば「５」）および看護チーム番号に対応する看護師の携帯に係るハンディナース端末４ａ、４ｂ、４ｃ、４ｄ、・・・の端末番号（たとえば「１１」、「１２」、「１３」、「１４」）が読み出され、制御機ＣＰＵ５０から、部屋番号情報、緊急呼出種別情報、看護チーム番号、端末番号および第１の患者情報を含有する緊急端末呼出制御信号が出力され、この緊急端末呼出制御信号が前述の端末呼出制御信号と同様に無線信号とされ、端末呼出制御信号と同様の経路を経由して複数のハンディナース端末４ａ、４ｂ、４ｃ、４ｄ、・・・へそれぞれ無線伝送され、端末データ送受信回路４４において電気信号に信号変換された端末呼出制御信号として呼出識別回路へ入力される。ここで、緊急端末呼出制御信号を構成する端末番号「１１」、「１２」、「１３」、「１４」と、ハンディナース端末４ａ、４ｂ、４ｃ、４ｄ、・・・に予め割り当てられた端末番号とが照合され、両者の端末番号が一致すると、前述と同様に端末呼出音発生回路４０が能動とされる。この実施例においては、第１〜第４のハンディナース端末４ａ、４ｂ、４ｃ、４ｄの端末番号が一致することで、第１〜第４のハンディナース端末４ａ、４ｂ、４ｃ、４ｄの端末スピーカ４２からそれぞれ呼出音が放音される。
【００３６】
これにより、第１〜第４のハンディナース端末４ａ、４ｂ、４ｃ、４ｄを携帯する第１〜第４の看護師に対して、受け持ちの患者である第１の患者からの緊急呼び出しが報知される。
【００３７】
このように構成されたナースコールシステムによれば、制御機５において、例えば第１の患者からの緊急呼出の際に、第１の患者の病状を把握する全ての看護師（第１〜第４の看護師）に対応する全てのハンディナース端末（第１〜第４のハンディナース端末４ａ、４ｂ、４ｃ、４ｄ）を同時に呼び出すことができる。
【産業上の利用可能性】
【００３８】
本発明のナースコールシステムは、前述の実施例に限定されず、例えば次に述べるようにしても、本発明のナースコールシステムと同様の効果を奏する。
【００３９】
第１に、前述の実施例では、患者がスタッフコールボタン１１を操作しているが、患者を看護する看護師がスタッフコールボタン１１を操作してもよい。
【００４０】
第２に、前述の実施例では、患者情報をナースコール親機３の記憶装置（不図示）から読み出しているが、制御機５にオーダリングシステム（不図示）を接続し、このオーダリングシステムに予め保存された病院内データベースから患者の氏名、受診科、処置等の患者情報を読み出すようにしてもよい。
【００４１】
第３に、前述の実施例では、緊急呼び出しの際に、第１〜第４のハンディナース端末４ａ〜４ｄを同時に呼び出しているが、同時に呼び出す場合の台数は、制御機ＣＰＵ５０の設定により、同時に呼出可能である最大台数、例えば８台のハンディナース端末４ａ、４ｂ、４ｃ、４ｄ、・・・を同時に呼び出すようにしてもよい。
【００４２】
第４に、ナースコール親機４は、例えばパーソナルコンピュータナースコール（以下「ＰＣナースコール」という。）と、ナースコール通話部とで構成し、ＰＣナースコールを構成するデータベースに患者情報等を記憶させてもよい。
【００４３】
第５に、病室の個数、廊下灯、ナースコール子機およびハンディナース端末の台数は、それぞれシステムの規模に応じて増減することができる。
【図面の簡単な説明】
【００４４】
【図１】本発明におけるナースコールシステムの構成図
【図２】本発明におけるナースコールシステムのブロック図
【符号の説明】
【００４５】
１ａ、１ｂ・・・ナースコール子機
２ａ、２ｂ・・・廊下灯
３・・・ナースコール親機
４ａ、４ｂ・・・ハンディナース端末
５・・・制御機
５０・・・制御機ＣＰＵ
【図１】
2005244496.tif 000003
【図２】
2005244496.tif 000004